(57)【要約】【課題】患者が所望する特定の看護師にナースコールの応答をしてもらうことができるようにする。【解決手段】ナースコール子機４において不急呼出ボタン１１が押下されると、当該ナースコール子機４から発信されたナースコールに応答したことがある複数の看護師を特定する看護師特定部４１と、複数の看護師のそれぞれの、名前または顔画像の少なくともいずれか一方を含んで構成された看護師情報を取得する看護師情報取得部４２と、複数の看護師の看護師情報をディスプレイ５ａに表示させる表示制御部３２と、複数の看護師情報の中から特定の看護師の看護師情報の選択を受け付ける選択受付部３３と、選択された特定の看護師が所持する携帯端末８へ不急呼出信号を送信する呼出信号送信部４４とを備えることにより、複数の看護師の中から患者が選択した特定の看護師の携帯端末８にナースコールの呼出信号を送信することができるようにする。【選択図】図３
2015204855.tif 000002
【特許請求の範囲】
【請求項１】
一般呼出信号よりも緊急性の低い呼出信号である不急呼出信号を発信するための不急呼出ボタンを備えたナースコール子機において、前記不急呼出ボタンが押下されると、ナースコールの応答履歴情報に基づいて、当該ナースコール子機から発信されたナースコールに応答したことがある複数の看護師を特定する看護師特定部と、
前記看護師特定部によって特定された前記複数の看護師のそれぞれの、名前または顔画像の少なくともいずれか一方を含んで構成された看護師情報を取得する看護師情報取得部と、
前記複数の看護師の前記看護師情報を、前記ナースコール子機に接続または内蔵されたディスプレイに表示させる表示制御部と、
前記ディスプレイに表示された複数の前記看護師情報の中から、特定の看護師の前記看護師情報の選択を受け付ける選択受付部と、
前記選択受付部が前記特定の看護師の前記看護師情報の選択を受け付けると、当該特定の看護師が所持する携帯端末へ、前記不急呼出信号を送信する呼出信号送信部と
を備えることを特徴とするナースコールシステム。
【請求項２】
複数の看護師のそれぞれのポイント数を記憶するポイント記憶部と、
前記不急呼出信号に対する応答が、前記特定の看護師が所持する携帯端末によって行われた場合、前記ポイント記憶部に記憶されている前記特定の看護師のポイント数に、所定のポイント数を付与するポイント付与部と、
を備えることを特徴とする請求項１に記載のナースコールシステム。
【請求項３】
一般呼出信号よりも緊急性の低い呼出信号である不急呼出信号を発信するための不急呼出ボタンを備えたナースコール子機において、前記不急呼出ボタンが押下されると、ナースコールの応答履歴情報に基づいて、当該ナースコール子機から発信されたナースコールに応答したことがある複数の看護師を特定する看護師特定部と、
前記看護師特定部によって特定された前記複数の看護師のそれぞれの、名前または顔画像の少なくともいずれか一方を含んで構成された看護師情報を取得する看護師情報取得部と、
前記複数の看護師の前記看護師情報を前記ナースコール子機へ送信する看護師情報送信部と、
前記ナースコール子機において、前記複数の看護師の前記看護師情報の中から、特定の看護師の前記看護師情報が選択されると、当該特定の看護師が所持する携帯端末へ、前記不急呼出信号を送信する呼出信号送信部と
を備えることを特徴とするナースコール親機。
【請求項４】
一般呼出信号よりも緊急性の低い呼出信号である不急呼出信号を発信するための不急呼出ボタンと、
前記不急呼出ボタンが押下されると、そのことをナースコール親機に通知したことの応答として、当該ナースコール子機から発信されたナースコールに応答したことがある複数の看護師のそれぞれの、名前または顔画像の少なくともいずれか一方を含んで構成された看護師情報を、前記ナースコール親機から受信する看護師情報受信部と、
前記複数の看護師の前記看護師情報を、当該ナースコール子機に接続または内蔵されたディスプレイに表示させる表示制御部と、
前記ディスプレイに表示された複数の前記看護師情報の中から、特定の看護師の前記看護師情報の選択を受け付ける選択受付部と、
前記ナースコール親機から前記特定の看護師が所持する携帯端末へ前記不急呼出信号を送信させるために、前記選択受付部が受け付けた前記特定の看護師の前記看護師情報の選択結果を前記ナースコール親機に通知する選択結果通知部と
を備えることを特徴とするナースコール子機。
【発明の詳細な説明】
【技術分野】
【０００１】
本発明は、看護師が所持する携帯端末にナースコールの呼出信号を送信することが可能なナースコールシステム、ナースコール親機およびナースコール子機に関する。
【背景技術】
【０００２】
一般に、病院や介護施設などでは、患者や被介護者（以下、単に「患者」と言う）と医師や看護師、介護師（以下、単に「看護師」と言う）との連絡に、ナースコールシステムが用いられている。この種のナースコールシステムにおいて、患者がナースコール子機の呼出ボタンを押下して呼び出しを行うと、呼び出しが行われたことがナースコール親機にて報知される。
【０００３】
例えば、ナースコール親機では、ナースコール子機からの呼び出しが行われると、呼び出しを行った患者の情報（氏名、部屋番号、ベッド番号など）が、ディスプレイに表示される。このようなナースコール子機からの呼び出しに応じて看護師がハンドセットを用いて応答すると、その看護師と患者との間で通話が可能な状態となる。
【０００４】
一般的に、ナースコールの種類には、一般呼出、緊急呼出、トイレ・浴室呼出等があり、緊急度や呼出理由等に応じて患者が使い分けることができる。ナースコールの呼び出しを受けたナースコール親機では、ナースコールの種類に応じた表示をしたり、ナースコールの種類に応じた呼出音を鳴らしたりすることにより、ナースコールの種類を看護師が容易に判別できるようになっている。
【０００５】
なお、下記特許文献１には、ナースコール子機からナースコールの呼出信号が送信されてきた場合、ナースコール親機が担当の医療従事者の顔画像情報をナースコール子機に送信し、ナースコール子機が備える子機用ディスプレイに表示させる技術が開示されている。この技術によれば、ナースコールの発信元である患者が、病室に入って来た担当の医療従事者を容易に特定することができる。
【先行技術文献】
【特許文献】
【０００６】
【特許文献１】特開２００７−１４３８４３号公報
【発明の概要】
【発明が解決しようとする課題】
【０００７】
従来のナースコールシステムは、複数の看護師のそれぞれが所持する複数の携帯端末を備えて構成される場合がある。この場合、ナースコール子機から発信されたナースコールは、複数の携帯端末のそれぞれに対して報知される。すなわち、ナースコール子機から発信されたナースコールに対し、いずれかの看護師が応答できるようになっている。このように、複数の看護師によってナースコールの応答がなされると、患者は、その中の特定の看護師（例えば、丁寧な対応をする看護師や、正確な対応をする看護師）にナースコールの応答をしてもらいたいと望むようになることがある。
【０００８】
しかしながら、従来のナースコールシステムでは、特定の看護師を呼び出したい場合であっても、一般呼出のナースコール呼び出しを行うしかなく、この場合、複数の携帯端末に対してナースコールが報知されてしまう。このため、患者が所望する特定の看護師にナースコールの応答をしてもらうことができないという問題があった。
【０００９】
本発明は、このような問題を解決するために成されたものであり、患者が所望する特定の看護師にナースコールの応答をしてもらうことができるようにすることを目的とする。
【課題を解決するための手段】
【００１０】
上記した課題を解決するために、本発明では、一般呼出信号よりも緊急性の低い呼出信号である不急呼出信号を発信するための不急呼出ボタンを備えたナースコール子機において、不急呼出ボタンが押下されると、ナースコールの応答履歴情報に基づいて、当該ナースコール子機から発信されたナースコールに応答したことがある複数の看護師を特定し、特定された複数の看護師のそれぞれの、名前または顔画像の少なくともいずれか一方を含んで構成された看護師情報を取得し、取得した複数の看護師の看護師情報を、ナースコール子機に接続または内蔵されたディスプレイに表示させる。そして、ディスプレイに表示された複数の看護師情報の中から、特定の看護師の看護師情報の選択を受け付けると、当該特定の看護師が所持する携帯端末へ、不急呼出信号を送信するようにしている。
【発明の効果】
【００１１】
上記のように構成した本発明によれば、患者は、ナースコール子機の不急呼出ボタンを押下することにより、過去にナースコールに応答した複数の看護師の中から所望する特定の看護師を選択して、その特定の看護師の携帯端末のみに、ナースコールの呼出信号を送信することができる。したがって、患者が所望する特定の看護師にナースコールの応答をしてもらうことができる。特に、患者が所望する特定の看護師の携帯端末には、一般呼出信号よりも緊急性の低い呼出信号が送信されるため、特定の看護師はそのナースコール呼び出しに対し、応答をした後で手が空いたときに対応すればよく、他の看護師に対応を代わりに行ってもらう必要はない。したがって、患者が所望する特定の看護師にナースコールの応答をしてもらうことができる。
【図面の簡単な説明】
【００１２】
【図１】本発明の一実施形態に係るナースコールシステムの全体構成例を示す図である。
【図２】本発明の一実施形態に係るハンド形子機の構成例を示す図である。
【図３】本発明の一実施形態に係るナースコールシステムの機能構成例を示すブロック図である。
【図４】本発明の一実施形態に係るナースコール子機によるナースコール呼出処理の手順を示すフローチャートである。
【図５】本発明の一実施形態に係る看護師情報の表示例を示す図である。
【図６】本発明の一実施形態に係るナースコール呼出画面の表示例を示す図である。
【図７】本発明の一実施形態に係るナースコールシステムの変形例を示す図である。
【図８】本発明の一実施形態（変形例）に係るポイント記憶部に記憶されているポイントの一例を示す図である。
【発明を実施するための形態】
【００１３】
以下、本発明の一実施形態を図面に基づいて説明する。
【００１４】
〔ナースコールシステムの全体構成〕
図１は、本実施形態に係るナースコールシステムの全体構成例を示す図である。なお、ここでは病院に設置される看護支援用のナースコールシステムを例にとって説明するが、本実施形態のナースコールシステムは、病院に設置されるものに限定されない。例えば、介護施設等に設置される場合にも適用可能である。
【００１５】
図１に示すように、本実施形態に係るナースコールシステムは、ナースコール親機１、制御機２、廊下灯３、壁埋込形子機４ａ、ハンド形子機４ｂ、タッチパネル５ｂを備えたディスプレイ５ａ、ハンディナースコール主装置６、無線基地局７および携帯端末（例えば、ＰＨＳ端末）８を備えて構成されている。
【００１６】
ナースコール親機１は、患者（ナースコール子機）からの呼び出しに対する応答の操作または患者の呼び出しの操作を行うためのものであり、例えばナースセンタに設置される。ナースコール親機１は、この応答や呼び出しを行うためのハンドセット１ａを備えている。
【００１７】
制御機２は、ナースコール親機１と廊下灯３との間に配置され、通話やデータの送受信に関する制御を行う。廊下灯３は、病室内の患者名が表示されるとともに、病室内の患者が看護師の呼び出しを行うと、呼び出しが行われたことが表示されるようになっている。
【００１８】
壁埋込形子機４ａは、病室の各ベッドサイドの壁に埋め込み設置される。この壁埋込形子機４ａは、廊下灯３に接続されている。壁埋込形子機４ａは、患者が看護師を呼び出すための呼出ボタン、患者が看護師と会話を行う際に使用するマイクおよびスピーカ、ハンド形子機４ｂを接続するための第１の接続端子、ディスプレイ５ａを接続するための第２の接続端子を備えている。
【００１９】
ハンド形子機４ｂ（特許請求の範囲に記載のナースコール子機に相当する）は、患者が看護師を呼び出すための呼出ボタン（不急呼出ボタン１１および一般呼出ボタン１２）、患者が看護師と会話を行う際に使用するマイク１４およびスピーカ１３を備えている（図２参照）。ハンド形子機４ｂは、壁埋込形子機４ａが備える第１の接続端子に接続される。
【００２０】
ディスプレイ５ａは、各種情報を表示するための表示装置である。タッチパネル５ｂは、各種ユーザ操作の入力を行うための入力デバイスである。タッチパネル５ｂは、ディスプレイ５ａの表示面上に重なった状態で、ディスプレイ５ａと一体化されている。ディスプレイ５ａは、壁埋込形子機４ａが備える第２の接続端子に接続される。
【００２１】
本実施形態では、一つの壁埋込形子機４ａに対し、ハンド形子機４ｂおよびタッチパネル５ｂ付きのディスプレイ５ａがそれぞれ設けられている。
【００２２】
ハンディナースコール主装置６は、看護師が所持する携帯端末８を用いた通話やデータの送受信に関する制御を行う。このハンディナースコール主装置６は、例えば病院内の通信センタに設置され、ナースコール親機１と接続されている。無線基地局７は、携帯端末８との間で通話やデータの無線通信をするためのものであり、ハンディナースコール主装置６と接続されている。
【００２３】
以上のように構成されたナースコールシステムは、ハンド形子機４ｂに不急呼出ボタン１１が新たに設けられており、当該不急呼出ボタン１１を患者が押下すると、過去にその患者からのナースコールに応答した複数の看護師の中から、患者が特定の看護師を選択することができるようになっている。そして、特定の看護師が選択されると、当該特定の看護師が保持する携帯端末８に対してナースコールの不急呼出信号が送信されるようになっている。不急呼出信号とは、一般呼出信号よりも緊急性の低い呼出信号の一例である。不急呼出信号は、ナースコール呼び出しに対して応答した看護師が直ちに必要な対応をしなくてもよい場合に使用される。
【００２４】
〔ハンド形子機の構成〕
図２は、本実施形態に係るハンド形子機４ｂの構成例を示す外観図である。図２に示すように、ハンド形子機４ｂは、不急呼出ボタン１１、一般呼出ボタン１２、スピーカ１３、マイク１４およびコード１５を備える。
【００２５】
不急呼出ボタン１１および一般呼出ボタン１２は、ハンド形子機４ｂの表面に設けられている。患者は、不急呼出ボタン１１を押下することにより、ディスプレイ５ａに表示された複数の看護師の中から所望する特定の看護師を選択し、当該特定の看護師が保持する携帯端末８へ不急呼出信号を送信することができる。これにより、患者は、所望する特定の看護師にナースコールの応答をしてもらうことができる。
【００２６】
また、患者は、一般呼出ボタン１２を押下することにより、複数の担当看護師が保持する携帯端末８のそれぞれへ、一般呼出信号を送信することができる。これにより、患者は、いずれかの担当看護師にナースコールの応答をしてもらうことができる。
【００２７】
スピーカ１３は、ナースコール呼び出しに応答した機器（ナースコール親機１または携帯端末８）からの通話音声を出力する。マイク１４は、ナースコールの呼び出しをした患者の通話音声が入力される。マイク１４から入力された通話音声は、ナースコール呼び出しに応答した機器（ナースコール親機１または携帯端末８）へ送信される。
【００２８】
コード１５は、ハンド形子機４ｂが送受信する各種信号（例えば、不急呼出信号、一般呼出信号、音声信号等）の伝送経路であり、ハンド形子機４ｂの下部から引き出されている。コード１５の先端には、コネクタ（図示省略）が設けられている。当該コネクタが、壁埋込形子機４ａが備える第１の接続端子（図示省略）に挿し込まれることにより、ハンド形子機４ｂは、コード１５および壁埋込形子機４ａを介して、ナースコール親機１に対して各種信号を送受信することが可能となる。また、ハンド形子機４ｂは、コード１５および壁埋込形子機４ａを介して、ディスプレイ５ａに対しても各種信号を送受信することが可能となる。
【００２９】
〔ナースコールシステムの機能構成〕
図３は、本実施形態に係るナースコールシステムの機能構成例を示すブロック図である。
【００３０】
図３に示すように、本実施形態に係るナースコールシステムにおいて、ナースコール親機１は、応答履歴情報記憶部２０、看護師情報記憶部２１および患者情報記憶部２２を備えている。また、ナースコール親機１は、その機能構成として、呼出信号受信部４０、看護師特定部４１、看護師情報取得部４２、看護師情報送信部４３および呼出信号送信部４４を備える。
【００３１】
また、ハンド形子機４ｂは、その機能構成として、呼出信号送信部３０、看護師情報受信部３１、表示制御部３２、選択受付部３３および選択結果通知部３４を備えている。
【００３２】
また、携帯端末８は、ディスプレイ８ａ、スピーカ８ｂおよび入力キー８ｃを備えている。また、携帯端末８は、その機能構成として、呼出信号受信部５０、報知処理部５１および応答受付部５２を備えている。
【００３３】
なお、上記各機能ブロック４０〜４４、３０〜３４、５０〜５２は、ハードウェア構成、ＤＳＰ、ソフトウェアの何れによっても実現することが可能である。例えばソフトウェアによって実現する場合、上記各機能ブロック４０〜４４、３０〜３４、５０〜５２は、実際にはコンピュータのＣＰＵあるいはＭＰＵ、ＲＡＭ、ＲＯＭなどを備えて構成され、ＲＡＭやＲＯＭに記憶されたプログラムが動作することによって実現できる。
【００３４】
なお、本実施形態のナースコールシステムは、患者毎の複数のハンド形子機４ｂを備える。各ハンド形子機４ｂの構成は、図３に示すハンド形子機４ｂの構成と同様である。また、本実施形態のナースコールシステムは、看護師毎の複数の携帯端末８を備える。各携帯端末８の構成は、図３に示す携帯端末８の構成と同様である。
【００３５】
応答履歴情報記憶部２０は、複数のハンド形子機４ｂから発信されたナースコールの応答履歴情報を記憶する。ナースコールの応答履歴情報は、例えば、ハンド形子機４ｂの識別情報、患者名、部屋番号、ベッド番号、呼出日時、呼出種別、応答した看護師の名前、応答日時等の情報を含んで構成される。応答履歴情報記憶部２０には、ナースコールシステムにおいてナースコールの応答が１回なされる毎に、１件分の応答履歴情報が登録される。
【００３６】
看護師情報記憶部２１は、複数の看護師の看護師情報を記憶する。看護師情報は、例えば、看護師の識別情報、名前、顔画像、携帯端末８の識別情報、担当する患者の識別情報等を含んで構成される。
【００３７】
患者情報記憶部２２は、複数の患者の患者情報を記憶する。患者情報は、例えば、患者の識別情報、名前、年齢、性別、症状、ナースコール子機４の識別情報、病室番号、ベッド番号等の情報を含んでいる。
【００３８】
ハンド形子機４ｂの呼出信号送信部３０は、当該ハンド形子機４ｂにおいて不急呼出ボタン１１が押下されると、不急呼出信号をナースコール親機１へ送信する。ナースコール親機１へ送信された不急呼出信号は、ナースコール親機１の呼出信号受信部４０によって受信される。
【００３９】
看護師特定部４１は、ハンド形子機４ｂから送信された不急呼出信号を呼出信号受信部４０が受信すると、応答履歴情報記憶部２０に記憶されている当該ハンド形子機４ｂの応答履歴情報に基づいて、当該ハンド形子機４ｂから過去に発信されたナースコールに応答したことがある複数の看護師を特定する。例えば、看護師特定部４１は、応答履歴情報記憶部２０に記憶されている応答履歴情報から、当該ハンド形子機４ｂの識別情報を検索キーとして、当該検索キーに該当する応答履歴情報を抽出する。そして、看護師特定部４１は、抽出された応答履歴情報においてナースコールの応答者として示されている看護師を、当該ハンド形子機４ｂから発信されたナースコールに応答したことがある看護師として特定する。
【００４０】
看護師情報取得部４２は、看護師特定部４１によって特定された複数の看護師のそれぞれの識別情報、名前および顔画像を含んで構成された看護師情報を看護師情報記憶部２１から取得する。看護師情報送信部４３は、看護師情報取得部４２によって取得された複数の看護師情報をハンド形子機４ｂへ送信する。
【００４１】
看護師情報受信部３１は、ナースコール親機１から送信された複数の看護師の看護師情報を受信する。表示制御部３２は、看護師情報受信部３１によって受信された複数の看護師情報のそれぞれの看護師の名前および顔画像を、当該ハンド形子機４ｂに壁埋込形子機４ａを介して接続されたディスプレイ５ａに表示させる。
【００４２】
選択受付部３３は、ディスプレイ５ａに表示された複数の看護師の看護師情報の中から、患者が所望する特定の看護師の看護師情報の選択を受け付ける。特定の看護師の看護師情報の選択は、例えば、患者によるタッチパネル５ｂの操作によって行われる。
【００４３】
選択結果通知部３４は、複数の看護師情報の中からの特定の看護師の看護師情報の選択結果をナースコール親機１へ通知する。この選択結果は、例えば、選択された看護師を特定可能なように、当該看護師の識別情報、名前等を含んで構成される。
【００４４】
ナースコール親機１の呼出信号送信部４４は、特定の看護師の看護師情報の選択結果の通知を受けると、当該特定の看護師が所持する携帯端末８へ不急呼出信号を送信する。例えば、呼出信号送信部４４は、特定の看護師の看護師情報を看護師情報記憶部２１から読み出し、当該看護師情報に設定されている携帯端末８の識別情報により、特定の看護師が所持する携帯端末８（すなわち、不急呼出信号を送信すべき携帯端末８）を特定する。携帯端末８へ送信される不急呼出信号には、例えば、呼出種別（不急呼出）、ナースコールの発信者である患者の氏名、病室番号、ベッド番号等の患者情報を含んでいる。呼出信号送信部４４は、これらの患者情報を、ナースコールの発信元であるハンド形子機４ｂの識別情報に基づいて、患者情報記憶部２２から取得する。
【００４５】
携帯端末８（特定の看護師が所持する携帯端末８）の呼出信号受信部５０は、ナースコール親機１から送信されてきた不急呼出信号を受信する。報知処理部５１は、呼出信号受信部５０が不急呼出信号を受信すると、所定の報知処理を行う。所定の報知処理とは、例えば、不急呼出信号に応じた呼出メッセージをディスプレイ８ａに表示したり、不急呼出信号に応じた呼出音をスピーカ８ｂから鳴らしたりすることである。
【００４６】
携帯端末８の応答受付部５２は、不急呼出信号に対する看護師の応答を受け付ける。例えば、看護師は、ナースコール親機１からの不急呼出信号に基づく呼び出しに応じて、入力キー８ｃの中に含まれているオフフックボタンを押下する。これに応じて、応答受付部５２は、報知処理部５１による所定の報知処理を停止させる。これとともに、ハンディナースコール主装置６（図１参照）の制御により、当該携帯端末８とハンド形子機４ｂとの間に通話状態が確立される。
【００４７】
〔ナースコール呼出処理の手順〕
図４は、本実施形態に係るナースコールシステムによるナースコール呼出処理の手順を示すフローチャートである。図４に例示するナースコール呼出処理は、ハンド形子機４ｂにおいて不急ボタン１１が押下されると実行される。
【００４８】
図４に例示するナースコール呼出処理では、まず、ハンド形子機４ｂにおいて不急ボタン１１が押下されると（ステップＳ４０２）、呼出信号送信部３０が、不急呼出信号をナースコール親機１へ送信する（ステップＳ４０４）。
【００４９】
ナースコール親機１において、呼出信号受信部４０が不急呼出信号を受信すると（ステップＳ４０６）、看護師特定部４１が、応答履歴情報記憶部２０に記憶されている応答履歴情報に基づいて、当該ハンド形子機４ｂから過去に送信されたナースコールに応答したことがある複数の看護師を特定する（ステップＳ４０８）。そして、ナースコール親機１の看護師情報取得部４２が、ステップＳ４０８で特定された複数の看護師の看護師情報を看護師情報記憶部２１から取得する（ステップＳ４１０）。
【００５０】
次に、ナースコール親機１の看護師情報送信部４３が、ステップＳ４１０で取得された複数の看護師の看護師情報をハンド形子機４ｂへ送信する（ステップＳ４１２）。そして、ハンド形子機４ｂの看護師情報受信部３１が、複数の看護師の看護師情報を受信する（ステップＳ４１４）。これに応じて、ハンド形子機４ｂの表示制御部３２が、ステップＳ４１４で受信された複数の看護師の看護師情報で示される複数の看護師の名前および顔画像を、当該ハンド形子機４ｂに接続されたディスプレイ５ａに表示させる（ステップＳ４１６）。
【００５１】
その後、ハンド形子機４ｂの選択受付部３３が、ディスプレイ５ａに表示された複数の看護師情報の中から特定の看護師の看護師情報の選択を受け付けるまで待機する（ステップＳ４１８：Ｎｏ）。そして、選択受付部３３が、特定の看護師の看護師情報の選択を受け付けると（ステップＳ４１８：Ｙｅｓ）、ハンド形子機４ｂの選択結果通知部３４が、ステップＳ４１８で受け付けた特定の看護師の看護師情報の選択結果をナースコール親機１に通知する（ステップＳ４２０）。この通知を受けたナースコール親機１は、呼出信号送信部４２が、ステップＳ４１８で選択された特定の看護師が所持する携帯端末８へ不急呼出信号を送信する（ステップＳ４２２）。そして、ナースコールシステムは、図４に例示するナースコール呼出処理を終了する。
【００５２】
このようにナースコール親機１から送信された不急呼出信号を受信した携帯端末８（特定の看護師が所持する携帯端末８）は、所定の報知処理が行われる。これにより、不急呼出のナースコール呼び出しが行われたことが、この携帯端末８を保持する看護師に報知される。
【００５３】
〔看護師情報の表示例〕
図５は、本実施形態に係る看護師情報の表示例を示す図である。図５に示す表示画面５００は、複数の看護師の看護師情報を表示する表示画面である。この表示画面５００は、ハンド形子機４ｂにおいて不急ボタン１１が押下されたときにディスプレイ５ａに表示される。
【００５４】
表示画面５００には、複数の看護師の看護師情報が表示されている。これら複数の看護師は、当該ハンド形子機４ｂから発信されたナースコールに応答したことがある看護師であって、応答履歴情報記憶部２０に記憶されている応答履歴情報に基づいて、ナースコール親機１によって特定された看護師である。
【００５５】
図５に示す例では、表示画面５００においては、看護師情報の一例として顔画像および氏名が表示されている。これにより、患者は、所望する看護師の氏名を覚えていない場合、所望する看護師の顔を覚えていない場合のいずれであっても、所望する看護師を容易に選択することができる。
【００５６】
表示画面５００において、各看護師情報には、呼出ボタン５０２が対応付けられて表示されている。例えば、患者が、表示画面５００において、所望する看護師の看護師情報に対応付けられている呼出ボタン５０２をタッチパネル５ｂの操作により選択すると、この選択結果がナースコール親機１へ通知される。そして、ナースコール親機１において、選択された看護師が所持する携帯端末８が特定され、当該携帯端末８に対してナースコールの不急呼出信号が送信される。
【００５７】
なお、表示画面５００において、呼出ボタン５０２を設けずに、所望する看護師の顔画像または氏名を選択するようにしてもよい。また、表示画面５００において所望する看護師を複数選択できるようにし、選択された複数の看護師の携帯端末８へ不急呼出信号を送信するようにしてもよい。
【００５８】
〔ナースコール呼出画面の表示例〕
図６は、本実施形態に係るナースコール呼出画面の表示例を示す図である。図６に示す表示画面６００は、ナースコールの呼び出しを報知するための表示画面の一例である。この表示画面６００は、ハンド形子機４ｂから、看護師が所持する携帯端末８に対してナースコールの不急呼び出しがなされたときに、ナースコール親機１から送信された不急呼出信号に基づいて、当該携帯端末８が備えるディスプレイ８ａに表示される。
【００５９】
例えば、ナースコール親機１から送信された不急呼出信号には、呼出種別（不急呼出）、ナースコールの発信者である患者の氏名、病室番号、ベッド番号等の患者情報を含んでいる。これらの患者情報は、ナースコール親機１において、患者情報記憶部２２から取得されたものである。これに応じて、表示画面６００には、当該ナースコール呼び出しの呼出種別が不急呼出である旨が表示されている。また、表示画面６００には、ナースコールの発信者である患者の氏名（図中「○○  ○○さま」）、病室番号およびベッド番号（図中「８０３−１」）が表示されている。この表示画面６００により、看護師は、ナースコールの発信元の患者を特定することができるとともに、当該ナースコール呼び出しに直ちに対応する必要がないことを把握することができる。
【００６０】
以上説明したように、本実施形態では、患者は、ハンド形子機４ｂの不急呼出ボタン１１を押下することにより、過去にナースコールに応答した複数の看護師の中から所望する特定の看護師を選択して、その特定の看護師の携帯端末８のみに、ナースコールの呼出信号を送信することができる。したがって、患者が所望する特定の看護師にナースコールの応答をしてもらうことができる。
【００６１】
特に、本実施形態では、患者が所望する特定の看護師の携帯端末８には、一般呼出信号よりも緊急性の低い不急呼出信号が送信される。このため、特定の看護師はそのナースコール呼び出しに対し、応答をした後で手が空いたときに対応すればよく、他の看護師に対応を代わりに行ってもらう必要はない。したがって、患者が所望する特定の看護師にナースコールの応答をしてもらうことができる。
【００６２】
また、本実施形態では、患者が不急呼出ボタンを押下したときに、複数の看護師のそれぞれの顔画像および名前が看護師情報としてディスプレイ５ａに表示される。これにより、患者は、所望する看護師の顔は忘れてしまったが名前を憶えている場合、または、所望する看護師の名前は忘れてしまったが顔を覚えている場合のいずれであっても、所望する看護師を容易に選択することができる。
【００６３】
〔ナースコールシステムの変形例〕
図７は、本実施形態に係るナースコールシステムの変形例を示す図である。図７に示すナースコールシステムでは、ナースコール親機１が、応答通知受信部４５、ポイント付与部４６およびポイント記憶部２３をさらに備える点、および、携帯端末８が応答通知送信部５３を備える点で、図３に示すナースコールシステムと異なる。
【００６４】
携帯端末８の応答通知送信部５３は、当該携帯端末８において不急呼び出しのナースコールの応答がなされたことの通知を、ナースコール親機１へ送信する。携帯端末８から送信された当該通知は、ナースコール親機１の応答通知受信部４５によって受信される。ナースコール親機１において、応答通知受信部４５が上記通知を受信すると、ポイント付与部４６は、ポイント記憶部２３に記憶されている、不急呼出信号に対する応答を行った看護師のポイント数に所定のポイント数を付与する。ポイント記憶部２３は、このようにして付与された複数の看護師のそれぞれのポイント数を記憶する。
【００６５】
図８は、本実施形態の変形例に係るポイント記憶部２３に記憶されているポイントの一例を示す図である。図８に示すように、ポイント記憶部２３には、複数の看護師のそれぞれのポイント数が記憶されている。ポイント記憶部２３においては、いずれかの看護師が不急呼び出しのナースコールの応答をすると、その看護師のポイント数に対して所定のポイント数（例えば、１ポイント）が加算されてゆく。このように、複数の看護師のそれぞれに付与されたポイント数は、例えば、各看護師の勤務評価を判定する際の指標として利用することができる。例えば、ポイント数がより多い看護師ほど、患者からの人気度がより高い看護師であると考えることができる。
【００６６】
なお、上記実施形態において、ハンド形子機４ｂからのナースコールに応答したことがあると特定された看護師のうち、ナースコールに応答できない看護師（例えば、休暇中の看護師、部署が変わった看護師等）を、表示画面５００に表示しないようにすることが好ましい。または、ナースコールに応答できない看護師を表示画面５００において選択できないようにすることが好ましい。
【００６７】
また、上記実施形態において、ハンド形子機４ｂと同様に、壁埋込形子機４ａにも、不急呼出ボタン１１が設けられていてもよい。この場合、壁埋込形子機４ａに上記各機能ブロック３０〜３４を設けて、壁埋込形子機４ａを上記実施形態で説明したハンド形子機４ｂと同様に機能させてもよい。
【００６８】
また、上記実施形態において、ディスプレイ５ａおよびタッチパネル５ｂは、壁埋込形子機４ａと一体化されたものであってもよい。また、ディスプレイ５ａおよびタッチパネル５ｂは、ハンド形子機４ｂと一体化されたものであってもよい。また、タッチパネル５ｂの代わりに、他の入力デバイス（例えば、ボタン、十字キー等）を備え、当該他の入力デバイスによって特定の看護師を選択するようにしてもよい。
【００６９】
また、上記実施形態において、ディスプレイ５ａに上記各機能ブロック３０〜３４を設けて、ディスプレイ５ａを上記実施形態で説明したハンド形子機４ｂと同様に機能させてもよい。これにより、例えば、上記各機能ブロック３０〜３４を壁埋込形子機およびハンド形子機に備えることができない既存のナースコールシステムに対しても、ディスプレイ５ａを追加するだけで、上記実施形態のナースコールシステムを実現することができる。
【００７０】
また、上記実施形態において、看護師情報として、顔画像および名前の双方を表示画面５００に表示するようにしたが、これに限らず、顔画像または名前のいずれか一方を表示するようにしてもよい。また、別の看護師情報（例えば、性別、出勤状態等）をさらに表示するようにしてもよい。
【００７１】
また、上記実施形態において、各機器が備える機能は、図３に示したとおりに限らない。例えば、図３において、ナースコール親機１が備える機能の一部を、他の機器に備えてもよい。例えば、看護師特定部４１および看護師情報取得部４２を、ハンド形子機４ｂが備える構成としてもよい。要するに、ナースコールシステム全体として、図３に示す全ての機能が実現されればよい。
【００７２】
その他、上記実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００７３】
１  ナースコール親機
４    ナースコール子機
４ａ  壁埋込形子機
４ｂ  ハンド形子機
５ａ  ディスプレイ
５ｂ  タッチパネル
８    携帯端末
１１  不急呼出ボタン
１２  一般呼出ボタン
２０  応答履歴情報記憶部
２１  看護師情報記憶部
２２  患者情報記憶部
２３  ポイント記憶部
３０  呼出信号送信部
３１  看護師情報受信部
３２  表示制御部
３３  選択受付部
３４  選択結果通知部
４０  呼出信号受信部
４１  看護師特定部
４２  看護師情報取得部
４３  看護師情報送信部
４４  呼出信号送信部
４５  応答通知受信部
４６  ポイント付与部
５０  呼出信号受信部
５１  報知処理部
５２  応答受付部
５３  応答通知送信部
【図１】
2015204855.tif 000003
【図２】
2015204855.tif 000004
【図３】
2015204855.tif 000005
【図４】
2015204855.tif 000006
【図５】
2015204855.tif 000007
【図６】
2015204855.tif 000008
【図７】
2015204855.tif 000009
【図８】
2015204855.tif 000010